(57)【特許請求の範囲】
【請求項１】
オゾンガス源からの窒素酸化物を含むオゾンガスを、シリカゲルからなる第１吸着剤を保持する第１容器が設置された第１の流路を介して供給対象物に供給する状態と、第２の流路を介して前記供給対象物に供給する状態と、を切り替えて、前記供給対象物に供給するオゾンガスの供給方法であって、
前記オゾンガス源からのオゾンガスを前記第２の流路を介して前記供給対象物に供給する工程と、
前記オゾンガス源からのオゾンガスに含まれる窒素酸化物の濃度が上昇するタイミングの情報である窒素酸化物濃度上昇情報を検知した場合に、前記窒素酸化物濃度上昇情報に基づいて、前記オゾンガス源からのオゾンガスを、前記第１の流路を介して前記供給対象物に供給する状態に切り替えて、前記第１吸着剤に窒素酸化物を吸着させ、窒素酸化物の濃度が低下したオゾンガスを前記供給対象物に供給する工程と、を備え、
前記オゾンガス源からのオゾンガスを前記第２の流路を介して供給する工程は、前記オゾンガス源からのオゾンガスを前記第２の流路を介して前記供給対象物に供給しつつ、前記オゾンガス源からのオゾンガスの一部を前記第１容器に導入することにより前記第１吸着剤にオゾンガスを吸着させ、前記第１吸着剤のオゾン吸着能を抑制する工程を含み、
前記オゾンガス源からのオゾンガスを前記第１の流路を介して前記供給対象物に供給する工程では、前記第１吸着剤のオゾン吸着能を抑制する工程においてオゾン吸着能が抑制された前記第１吸着剤を保持する前記第１容器をオゾンガスが通過する、オゾンガスの供給方法。
【請求項２】
前記オゾンガス源からのオゾンガスを前記第２の流路を介して供給する工程は、前記第１吸着剤のオゾン吸着能を抑制する工程の前に、前記第１容器内の前記第１吸着剤を加熱しつつ前記第１容器内にパージガスを導入して前記第１吸着剤に吸着した窒素酸化物を離脱させて前記パージガスにより前記第１容器の外部へと排出することにより、前記第１吸着剤の窒素酸化物吸着能を回復させる工程をさらに含む、請求項１に記載のオゾンガスの供給方法。
【請求項３】
前記オゾンガス源では、酸素を保持する酸素源から供給される酸素ガスを主成分とするガス中における放電によりオゾンガスが生成され、
前記第１吸着剤の窒素酸化物吸着能を回復させる工程では、前記酸素源から前記パージガスとして酸素ガスが供給される、請求項２に記載のオゾンガスの供給方法。
【請求項４】
前記オゾンガス源では、酸素ガスを主成分とするガス中に配置された電極間における放電によりオゾンガスが生成され、
前記窒素酸化物濃度上昇情報は、前記電極が、五酸化二窒素が気化する温度以上の温度に加熱されて窒素酸化物の濃度が上昇するタイミングの情報である、請求項１〜３のいずれか１項に記載のオゾンガスの供給方法。
【請求項５】
窒素酸化物を含むオゾンガスを提供するオゾンガス源と、
前記オゾンガス源からのオゾンガスを供給対象物へと運搬するための第１の流路と、
前記オゾンガス源からのオゾンガスを前記供給対象物へと運搬するための第２の流路と、
前記オゾンガス源からのオゾンガスの前記供給対象物への供給経路を制御する制御部と、
前記オゾンガス源からのオゾンガスに含まれる窒素酸化物の濃度が上昇するタイミングを検知して、オゾンガスに含まれる窒素酸化物の濃度の上昇を予告する窒素酸化物濃度上昇情報を出力する検知部と、を備え、
前記第１の流路には、シリカゲルからなる第１吸着剤を保持する第１容器が設置され、
前記制御部は、
前記オゾンガス源からのオゾンガスを前記第２の流路を介して前記供給対象物に供給する状態と、
前記窒素酸化物濃度上昇情報に基づいて、前記オゾンガス源からのオゾンガスを、前記第１容器が設置された前記第１の流路を介して前記供給対象物に供給することで、前記第１吸着剤に窒素酸化物を吸着させ、窒素酸化物の濃度が低下したオゾンガスを前記供給対象物に供給する状態と、を切り替え、
前記オゾンガス源からのオゾンガスを前記第２の流路を介して前記供給対象物に供給する状態は、前記オゾンガス源からのオゾンガスを前記第２の流路を介して前記供給対象物に供給しつつ、前記オゾンガス源からのオゾンガスの一部を、前記第１容器に導入することにより前記第１吸着剤にオゾンガスを吸着させ、前記第１吸着剤のオゾン吸着能を抑制する状態を含み、
前記制御部は、前記オゾンガス源からのオゾンガスの一部が前記第１容器に導入されることによってオゾン吸着能が抑制された前記第１吸着剤が前記第１容器に保持されている状態で、前記オゾンガス源からのオゾンガスを前記第１の流路を介して前記供給対象物に供給する状態に切り替える、オゾンガスの供給システム。
【請求項６】
前記第１容器に接続されるパージガス流入路と、
前記第１吸着剤を加熱する加熱部と、
前記第１容器に接続されるパージガス排出路と、をさらに備える、請求項５に記載のオゾンガスの供給システム。
【請求項７】
前記オゾンガス源に接続される酸素源をさらに備え、
前記オゾンガス源は、前記酸素源から供給される酸素ガスを主成分とするガス中における放電によりオゾンガスを生成し、
前記酸素源は前記パージガス流入路に接続される、請求項６に記載のオゾンガスの供給システム。
【請求項８】
前記オゾンガス源は、酸素ガスを主成分とするガス中における放電によりオゾンガスを生成するための電極を含み、
前記検知部は、前記電極が、五酸化二窒素が気化する温度以上の温度に加熱されるタイミングを前記窒素酸化物の濃度が上昇するタイミングとして検知する、請求項５〜７のいずれか１項に記載のオゾンガスの供給システム。
【発明の詳細な説明】
【技術分野】
【０００１】
本発明はオゾンガスの供給方法、およびオゾンガスの供給システムに関するものである。
【背景技術】
【０００２】
オゾンガスは、強い酸化力を有する一方、分解した後は毒性を残さないため、脱臭剤、殺菌剤、半導体の酸化処理などに、広く使用されている。
【０００３】
オゾンガスは、たとえば酸素ガスを含む雰囲気中での放電によって生成させることができる。このようにしてオゾンガスを生成させる場合、原料となる酸素ガスに微量の窒素ガスを添加することでオゾンガスの濃度が高くなるとともに、経時安定性も向上することが知られている。このように原料となる酸素ガスに微量の窒素ガスを添加した場合、添加した窒素ガスの一部が窒素酸化物となる。この窒素酸化物は、ガスの流路となる配管を腐食する原因となる。
【０００４】
オゾンガスに含まれる窒素酸化物を除去する技術として、窒素酸化物が混入したオゾンガスをシリカゲルが充填された除去筒に導入して窒素酸化物を除去する方法が提案されている（たとえば、特許文献１参照）。
【先行技術文献】
【特許文献】
【０００５】
【特許文献１】特開２０１１−１２１８０５号公報
【発明の概要】
【発明が解決しようとする課題】
【０００６】
しかしながら、シリカゲルを用いた窒素酸化物の除去を実施した場合、供給されるガス中のオゾンの濃度が不安定となる場合がある。
【０００７】
本発明の目的は、窒素酸化物が除去されたオゾンガスを安定した濃度で供給することを可能とするオゾンガスの供給方法、およびオゾンガスの供給システムを提供することである。
【課題を解決するための手段】
【０００８】
本発明に従ったオゾンガスの供給方法は、オゾンガス源からの窒素酸化物を含むオゾンガスを、シリカゲルからなる第１吸着剤を保持する第１容器が設置された第１の流路を介して供給対象物に供給する状態と、第２の流路を介して供給対象物に供給する状態と、を切り替えて、供給対象物に供給するオゾンガスの供給方法である。このオゾンガスの供給方法は、オゾンガス源からのオゾンガスを第２の流路を介して供給対象物に供給する工程と、オゾンガス源からのオゾンガスに含まれる窒素酸化物の濃度が上昇するタイミングの情報である窒素酸化物濃度上昇情報を検知した場合に、窒素酸化物濃度上昇情報に基づいて、オゾンガス源からのオゾンガスを、第１の流路を介して供給対象物に供給する状態に切り替えて、第１吸着剤に窒素酸化物を吸着させ、窒素酸化物の濃度が低下したオゾンガスを供給対象物に供給する工程と、を備える。
【０００９】
オゾンガス源からのオゾンガスを第２の流路を介して供給する工程は、オゾンガス源からのオゾンガスを第２の流路を介して供給対象物に供給しつつ、オゾンガス源からのオゾンガスの一部を第１容器に導入することにより第１吸着剤にオゾンガスを吸着させ、第１吸着剤のオゾン吸着能を抑制する工程を含む。オゾンガス源からのオゾンガスを第１の流路を介して供給対象物に供給する工程では、第１吸着剤のオゾン吸着能を抑制する工程においてオゾン吸着能が抑制された第１吸着剤を保持する第１容器をオゾンガスが通過する。
【００１０】
本発明のオゾンガスの供給方法では、窒素酸化物濃度上昇情報に基づいて、オゾンガス源からのオゾンガスが第１の流路を介して供給対象物に供給される状態に切り替えられる。これにより、第１流路に設置された第１容器内のシリカゲルからなる第１吸着剤に窒素酸化物が吸着され、窒素酸化物の濃度が低下したオゾンガスが供給対象物に供給される。このとき、シリカゲルは窒素酸化物だけでなくオゾンガスをも吸着する特性を有する。そのため、何ら対策を講じない場合、第１吸着剤にオゾンガスが吸着され、供給対象物へと供給されるオゾンガスの濃度が低下する。その結果、供給対象物へと供給されるオゾンガスの濃度が不安定となる場合がある。
【００１１】
これに対し、本発明のオゾンガスの供給方法では、オゾンガス源からのオゾンガスを第２の流路を介して供給する工程が、第１吸着剤のオゾン吸着能を抑制する工程を含む。そして、オゾンガス源からのオゾンガスを第１の流路を介して供給する工程では、第１吸着剤のオゾン吸着能を抑制する工程においてオゾン吸着能が抑制された第１吸着剤を保持する第１容器をオゾンガスが通過する。そのため、第１吸着剤にオゾンガスが吸着されることが抑制され、オゾンガスの濃度が安定する。このように、本発明のオゾンガスの供給方法によれば、窒素酸化物が除去されたオゾンガスを安定した濃度で供給することができる。
【００１２】
上記オゾンガスの供給方法において、オゾンガス源からのオゾンガスを第２の流路を介して供給する工程は、第１吸着剤のオゾン吸着能を抑制する工程の前に、第１容器内の第１吸着剤を加熱しつつ第１容器内にパージガスを導入して第１吸着剤に吸着した窒素酸化物を離脱させてパージガスにより第１容器の外部へと排出することにより、第１吸着剤の窒素酸化物吸着能を回復させる工程をさらに含んでいてもよい。
【００１３】
第１吸着剤の窒素酸化物吸着能を回復させる工程が実施された後に第１吸着剤のオゾン吸着能を抑制する工程が実施されることにより、第１吸着剤が十分な窒素酸化物吸着能を有し、かつオゾン吸着能が抑制された状態で、オゾンガスが第１の流路を介して供給対象物に供給される状態に切り替えることが可能となる。
【００１４】
上記オゾンガスの供給方法において、オゾンガス源では、酸素を保持する酸素源から供給される酸素ガスを主成分とするガス中における放電によりオゾンガスが生成されてもよい。そして、第１吸着剤の窒素酸化物吸着能を回復させる工程では、上記酸素源からパージガスとして酸素ガスが供給されてもよい。
【００１５】
これにより、オゾンガスの原料となる酸素源がパージガスの供給源としても使用されるので、設備の簡略化を図ることが可能となる。なお、本願において、酸素ガスを主成分とするガスとは、８０体積％以上の酸素ガスを含むガスを意味する。
【００１６】
上記オゾンガスの供給方法において、オゾンガス源では、酸素ガスを主成分とするガス中に配置された電極間における放電によりオゾンガスが生成されてもよい。窒素酸化物濃度上昇情報は、上記電極が、五酸化二窒素が気化する温度以上の温度に加熱されて窒素酸化物の濃度が上昇するタイミングの情報であってもよい。
【００１７】
酸素ガスを主成分とするガス中に配置された電極間における放電によりオゾンガスが生成される場合、電極に五酸化二窒素が付着することによりオゾンの生成効率が低下する場合がある。電極に付着した五酸化二窒素は、電極を加熱することにより気化させて除去することができる。このとき、気化した五酸化二窒素が生成したオゾンに混入し、オゾンガス源からのオゾンガスに含まれる窒素酸化物の濃度が上昇する。電極を加熱するタイミングの情報を窒素酸化物濃度上昇情報として、オゾンガスが第１の流路を介して供給対象物に供給される状態に切り替えることにより、第１吸着剤に窒素酸化物を吸着し、窒素酸化物の濃度が低下したオゾンガスを供給対象物に供給することができる。
【００１８】
本発明に従ったオゾンガスの供給システムは、窒素酸化物を含むオゾンガスを提供するオゾンガス源と、オゾンガス源からのオゾンガスを供給対象物へと運搬するための第１の流路と、オゾンガス源からのオゾンガスを供給対象物へと運搬するための第２の流路と、オゾンガス源からのオゾンガスの供給対象物への供給経路を制御する制御部と、オゾンガス源からのオゾンガスに含まれる窒素酸化物の濃度が上昇するタイミングを検知して、オゾンガスに含まれる窒素酸化物の濃度の上昇を予告する窒素酸化物濃度上昇情報を出力する検知部と、を備える。第１の流路には、シリカゲルからなる第１吸着剤を保持する第１容器が設置される。
【００１９】
制御部は、オゾンガス源からのオゾンガスを第２の流路を介して供給対象物に供給する状態と、窒素酸化物濃度上昇情報に基づいて、オゾンガス源からのオゾンガスを、第１容器が設置された第１の流路を介して供給対象物に供給することで、第１吸着剤に窒素酸化物を吸着させ、窒素酸化物の濃度が低下したオゾンガスを供給対象物に供給する状態と、を切り替える。オゾンガス源からのオゾンガスを第２の流路を介して供給対象物に供給する状態は、オゾンガス源からのオゾンガスを第２の流路を介して供給対象物に供給しつつ、オゾンガス源からのオゾンガスの一部を、第１容器に導入することにより第１吸着剤にオゾンガスを吸着させ、第１吸着剤のオゾン吸着能を抑制する状態を含む。制御部は、オゾンガス源からのオゾンガスの一部が第１容器に導入されることによってオゾン吸着能が抑制された第１吸着剤が第１容器に保持されている状態で、オゾンガス源からのオゾンガスを第１の流路を介して供給対象物に供給する状態に切り替える。
【００２０】
本発明のオゾンガスの供給システムを用いることで、上記本発明のオゾンガスの供給方法を実施することができる。その結果、本発明のオゾンガスの供給システムによれば、窒素酸化物が除去されたオゾンガスを安定した濃度で供給することができる。
【００２１】
上記オゾンガスの供給システムは、第１容器に接続されるパージガス流入路と、第１吸着剤を加熱する加熱部と、第１容器に接続されるパージガス排出路と、をさらに備えていてもよい。このようにすることにより、第１容器内の第１吸着剤を加熱部により加熱しつつ第１容器内にパージガスを導入して第１吸着剤に吸着した窒素酸化物を離脱させてパージガスにより第１容器の外部へと排出することにより、第１吸着剤の窒素酸化物吸着能を回復させることができる。
【００２２】
上記オゾンガスの供給システムは、オゾンガス源に接続される酸素源をさらに備えていてもよい。オゾンガス源は、当該酸素源から供給される酸素ガスを主成分とするガス中における放電によりオゾンガスを生成してもよい。そして、上記酸素源はパージガス流入路に接続されてもよい。これにより、オゾンガスの原料となる酸素を供給する酸素源がパージガスの供給源としても使用されるので、設備の簡略化を図ることが可能となる。
【００２３】
なお、一般的なプロセスにより製造された酸素には、不純物として窒素が含まれる。そのため、このような酸素ガスを主成分とするガス中における放電により、窒素酸化物を含むオゾンガスが生成する。また、放電によるオゾンガスの生成においては、上述のように、酸素ガスに意図的に窒素ガスを添加することにより、オゾンガスの濃度および経時安定性が向上する。このような混合ガス（酸素ガスを主成分とするガス）中における放電によっても、窒素酸化物を含むオゾンガスが生成する。後者の場合、オゾンガス源には酸素源だけでなく、窒素を保持する窒素源が接続される。前者の場合、オゾンガス源には酸素源が接続され、窒素源は接続されない。いずれの場合においても、オゾンガス源において窒素酸化物を含むオゾンガスが生成する。
【００２４】
上記オゾンガスの供給システムにおいて、オゾンガス源は、酸素ガスを主成分とするガス中における放電によりオゾンガスを生成するための電極を含んでいてもよい。検知部は、電極が、五酸化二窒素が気化する温度以上の温度に加熱されるタイミングを窒素酸化物の濃度が上昇するタイミングとして検知してもよい。
【００２５】
電極を加熱するタイミングの情報を窒素酸化物濃度上昇情報として、オゾンガスが第１の流路を介して供給対象物に供給される状態に切り替えることにより、第１吸着剤に窒素酸化物を吸着し、窒素酸化物の濃度が低下したオゾンガスを供給対象物に供給することができる。
【発明の効果】
【００２６】
以上の説明から明らかなように、本発明のオゾンガスの供給方法、およびオゾンガスの供給システムによれば、窒素酸化物が除去されたオゾンガスを安定した濃度で供給することを可能とするオゾンガスの供給方法、およびオゾンガスの供給システムを提供することができる。
【図面の簡単な説明】
【００２７】
【図１】実施の形態１におけるオゾンガス供給システムの構成の一例を示す概略図である。
【図２】オゾン生成装置に含まれる放電ユニットの構造を示す概略断面図である。
【図３】除去筒の構造を示す概略断面図である。
【図４】実施の形態１におけるオゾンガスの供給経路の制御の一例を示すフローチャートである。
【図５】オゾン生成装置の制御の一例を示すフローチャートである。
【図６】除去筒の制御の一例を示すフローチャートである。
【図７】実施の形態１におけるオゾンガスの供給手順の一例を示すタイミングチャートである。
【図８】実施の形態２におけるオゾンガス供給システムの構成の一例を示す概略図である。
【図９】実施の形態２におけるオゾンガスの供給経路の制御の一例を示すフローチャートである。
【図１０】実施の形態２におけるオゾンガスの供給手順の一例を示すタイミングチャートである。
【発明を実施するための形態】
【００２８】
以下、図面に基づいて本発明の実施の形態を説明する。なお、以下の図面において同一または相当する部分には同一の参照番号を付し、その説明は繰り返さない。
【００２９】
（実施の形態１）
１．オゾンガスの供給システムの構成
図１を参照して、実施の形態１におけるオゾンガスの供給システムであるオゾン供給システム１は、オゾンガス源としてのオゾン生成装置１０と、オゾン生成装置１０に接続されたオゾン濃度検知部３０と、オゾン濃度検知部３０に接続された制御部４０とを備える。
【００３０】
オゾン濃度検知部３０は、オゾン生成装置１０内で発生するオゾンの濃度を検知し、濃度に異常がある場合に濃度異常信号を制御部４０に出力する。制御部４０は、濃度異常信号を受けた場合、オゾン生成装置１０内の電極に五酸化二窒素が許容範囲を超えて付着したものと判断し、付着した五酸化二窒素を除去するようにオゾン生成装置１０を制御するとともにオゾン生成装置１０からのオゾンガスの供給対象物への供給経路を制御する。電極に付着した五酸化二窒素を除去すると、オゾン生成装置１０から吐出される窒素酸化物の濃度が上昇する。したがって、上記濃度異常信号は、オゾンガスに含まれる窒素酸化物の濃度の上昇を予告する窒素酸化物濃度上昇情報である。
【００３１】
オゾン供給システム１は、さらに酸素源５１と、窒素源５２と、第１流量調整部としての第１マスフローコントローラ５６と、第２流量調整部としての第２マスフローコントローラ５７と、第３流量調整部としての第３マスフローコントローラ５８と、第１容器としての第１除去筒２０Ａとを備える。酸素源５１および窒素源５２としては、たとえば、それぞれ酸素および窒素を保持するＬＧＣ（Ｌｉｑｕｉｄ  Ｇａｓ  Ｃｏｎｔａｉｎｅｒ）、ＣＥ（Ｃｏｌｄ  Ｅｖａｐｏｒａｔｏｒ）などを採用することができる。酸素源５１と第１マスフローコントローラ５６とは、配管８０により接続されている。配管８０は、酸素源５１からの酸素ガスの流出路である。配管８０には、弁６１が設置されている。窒素源５２と第２マスフローコントローラ５７とは、配管８１により接続されている。配管８１には、弁６２が設置されている。第１マスフローコントローラ５６には、配管８２が接続されている。配管８２には、弁６３が設置されている。第２マスフローコントローラ５７には、配管８３が接続されている。配管８３には、弁６４が設置されている。配管８２および配管８３は、配管８４に接続されている。そして、配管８４は、オゾン生成装置１０に接続されている。配管８４は、オゾン生成装置１０への原料ガスの流入路である。このように、酸素源５１および窒素源５２はオゾン生成装置１０に配管を介して接続されている。
【００３２】
オゾン生成装置１０には、配管８５が接続されている。配管８５は、オゾン生成装置１０内で生成したオゾンガスの流出路である。配管８５には、配管８６および配管８７が接続されている。配管８６には、弁６７が設置されている。配管８０の弁６１が設置される位置と酸素源５１に接続される位置との間に、配管８９が接続されている。配管８９は第３マスフローコントローラ５８に接続されている。配管８９には、弁６５が設置されている。第３マスフローコントローラ５８には、配管９９が接続されている。配管９９には、弁６６が設置されている。そして、配管９９および配管８６は、配管９１Ａに接続されている。配管９１Ａには、弁６９Ａが設置されている。配管９１Ａは、第１除去筒２０Ａに接続されている。配管９１Ａは、オゾンガスおよびパージガスとしての酸素ガスの第１除去筒２０Ａへの流入路である。配管８０、配管８９、配管９９および配管９１Ａは、パージガス流入路を構成する。第１除去筒２０Ａには、配管９２Ａが接続されている。配管９２Ａは、第１除去筒２０Ａからのオゾンガスおよびパージガスとしての酸素ガスの流出路である。配管９２Ａには、弁７１Ａが設置されている。このように、オゾンガスの原料としての酸素ガスを保持する酸素源５１がパージガスの供給源としても使用可能な構造が採用されることにより、設備の簡略化が図られている。
【００３３】
配管９２Ａには、配管１０１と、配管９６とが接続されている。配管１０１には弁７４が設置されている。配管１０１は、排気部に接続されている。配管１０１は、不要なガスをオゾン供給システム１から排出する排気管である。配管９６には、弁７５が設置されている。配管９６は、配管１０２に接続されている。配管１０２には、弁７８が設置されている。配管１０２は、オゾンガスが供給されるべき供給対象物へとオゾンガスを吐出する吐出部に接続されている。配管１０２は、オゾン供給システム１からオゾンガスを供給対象物へと吐出する供給管である。配管８７は、配管１０２に接続されている。配管８７には、配管８５に近い側から弁６８、弁７２および弁７３が設置されている。配管９２Ａおよび配管１０１は、パージガス排出路を構成する。配管８５、配管８６、配管９１Ａ、配管９２Ａ、配管９６および配管１０２は、第１の流路を構成する。配管８５、配管８７および配管１０２は、第２の流路を構成する。
【００３４】
次に、オゾン生成装置１０の構造について説明する。オゾン生成装置１０は、複数の放電ユニットを含んでいる。オゾン生成装置１０内には、複数の放電ユニットが並列に配置されている。図２を参照して、放電ユニット１１は、第１電極１２と、第２電極１４と、誘電体管１３とを含んでいる。第１電極１２は、導電体からなり、両端部が開口する中空円筒状の形状を有している。第２電極１４は、導電体からなり、第１電極１２よりも直径の小さい中空円筒状の形状を有している。誘電体管１３は、たとえばガラスからなり、両端部が閉塞された中空円筒状の形状を有している。
【００３５】
第１電極１２、第２電極１４、および誘電体管１３は、中心軸が一致するように配置されている。誘電体管１３の内周面と第２電極１４の外周面とが全域にわたって接触するように、第２電極１４および誘電体管１３は配置されている。誘電体管１３の一方端の壁が、第２電極１４の一方の端面に接触している。誘電体管１３の他方端の壁が、第２電極１４の他方の端面に接触している。すなわち、第２電極１４に接触しつつ第２電極１４を取り囲むように、誘電体管１３は配置されている。誘電体管１３の外周面と第１電極１２の内周面とが対向している。
【００３６】
誘電体管１３の外周面と第１電極１２の内周面とに挟まれる空間が放電空間１５である。第１電極１２と第２電極１４との間に電圧が印加されることにより、放電空間１５内において放電が生じる。このとき、矢印αに沿って酸素ガスを主成分とし、窒素ガスを含む原料ガスが流入する。原料ガスに含まれる酸素ガスが第１電極１２と第２電極１４との間の放電によりオゾン化し、矢印βに沿ってオゾンガスが吐出される。このようにして、放電ユニット１１に流入した酸素ガスがオゾン化され、放電ユニット１１からオゾンガスが吐出される。
【００３７】
次に、第１除去筒２０Ａの構造について説明する。第１除去筒２０Ａは、図３に示す除去筒２０と同様の構造を有している。除去筒２０は、本体部２１と、加熱部としてのリボンヒータ２２と、ジャケット２３と、温度センサ２４とを含んでいる。本体部２１は、円筒状の形状を有する。本体部２１内には、円筒状の形状を有する中空領域である吸着剤保持部２８が形成されている。吸着剤保持部２８内には、シリカゲルからなる吸着剤２９（第１吸着剤）が保持されている。吸着剤２９を構成するシリカゲルは、たとえば純度９９．９９質量％以上に調整されている。吸着剤保持部２８の一方の端部には配管９１が接続されている。吸着剤保持部２８の他方の端部には配管９２が接続されている。配管９１および配管９２は、それぞれ図１の配管９１Ａおよび配管９２Ａに対応する。
【００３８】
リボンヒータ２２は、本体部２１の外周を取り囲むように配置される。リボンヒータ２２は、加熱用電源（図示しない）に接続され、本体部２１を加熱することにより、吸着剤保持部２８内の第１吸着剤２９を所望の温度に加熱する。ジャケット２３は、リボンヒータ２２の外周を取り囲むように配置される。ジャケット２３が装着されることによって、除去筒２０が保温されるとともに、除去筒２０が加熱された場合に除去筒２０の温度が、除去筒２０に隣接して配置される他の部材の温度に影響することを抑制することができる。温度センサ２４は、本体部２１内に設置される。温度センサ２４は、吸着剤保持部２８内の第１吸着剤２９の温度を測定する。温度センサ２４および上記加熱用電源は制御部４０に接続される。制御部４０は、温度センサ２４から得られる第１吸着剤２９の温度の情報に基づいて、第１吸着剤２９を所望の温度に維持するように加熱用電源を制御する。
【００３９】
２．オゾンガスの供給方法
次に、図１〜図７を参照して、本発明の実施の形態１におけるオゾンガスの供給方法について説明する。図４は、実施の形態１におけるオゾンガスの供給経路の制御の一例を示すフローチャートである。図５は、オゾン生成装置の制御の一例を示すフローチャートである。図６は、除去筒の制御の一例を示すフローチャートである。図７は、実施の形態１におけるオゾンガスの供給手順の一例を示すタイミングチャートである。
【００４０】
（１）時刻ｔ１〜ｔ２
図７を参照して、時刻ｔ１〜ｔ２の間は、オゾンガスの供給経路の制御において工程（Ｓ１０）〜（Ｓ３０）が繰り返されるとともに、オゾン生成装置においては工程（Ｔ１０）が実施される。第１除去筒は待機状態となっている。
【００４１】
具体的には、図４を参照して、オゾンガスの供給経路の制御において、まず工程（Ｓ１０）として、オゾン生成装置１０からのオゾンガスを第２の流路を介して供給対象物に供給する工程が実施される。この工程（Ｓ１０）では、図１を参照して、制御部４０による制御によって、弁６１〜６４，６８，７２，７３，７８が開の状態とされ、他の弁が閉の状態とされる。酸素源５１から配管８０を介して供給される酸素ガスは、第１マスフローコントローラ５６において流量が調整され、配管８２を介して配管８４に到達する。窒素源５２から配管８１を介して供給される窒素ガスは、第２マスフローコントローラ５７において流量が調整され、配管８３を介して配管８４に到達する。その結果、酸素ガスに所望の割合で窒素ガスが混合された原料ガス（たとえば数体積％の窒素ガスを含み、残部が酸素ガスからなる混合ガス）が配管８４を介してオゾン生成装置１０へと供給される。オゾン生成装置１０に到達した原料ガスは、図２を参照して、矢印αに沿って放電空間１５に流入する。このとき、第１電極１２と第２電極１４との間の放電により、オゾンガスが生成する。生成したオゾンガスは、矢印βに沿って放電空間１５から吐出される。吐出されたオゾンガスは、図１を参照して、第２の流路を構成する配管８５、配管８７および配管１０２を介して供給対象物に供給される。
【００４２】
そして、図４を参照して、供給対象物へのオゾンガスの供給が終了した場合（工程（Ｓ２０）においてＹＥＳの場合）、オゾン供給システム１の運転は停止され、オゾンガスの供給は終了する。供給対象物へのオゾンガスの供給が終了していない場合（工程（Ｓ２０）においてＮＯの場合）、オゾン生成装置１０からのオゾンガスに含まれる窒素酸化物の濃度が上昇するタイミングの情報である窒素酸化物濃度上昇情報を検知したかどうかが確認される（工程（Ｓ３０））。具体的には、図５および図１を参照して、オゾン濃度検知部３０がオゾン生成装置１０内で発生するオゾンの濃度を検知し、濃度に異常があるかどうかを確認する。たとえば、オゾン濃度検知部３０は、オゾンの濃度が予め定められた濃度の範囲を下回っているかどうかを確認する（工程（Ｔ１０））。オゾンの濃度が予め定められた濃度の範囲内であれば（工程（Ｔ１０）においてＮＯ）、窒素酸化物の濃度が上昇するタイミングが検知されないものと判断し（工程（Ｓ３０）においてＮＯ）、オゾンガスが第２の流路を介して供給対象物に引き続き供給される。オゾン濃度検知部３０は、オゾン生成装置１０内で発生するオゾンの濃度を引き続き検知する。時刻ｔ１〜ｔ２においては、このように工程（Ｓ１０）〜（Ｓ３０）が繰り返して実施されるとともに、工程（Ｔ１０）が繰り返して実施される。第１の流路に設置された第１除去筒２０Ａは、待機状態となっている。
【００４３】
（２）時刻ｔ２〜ｔ３
図７を参照して、時刻ｔ２〜ｔ３の間は、オゾンガスの供給経路の制御において工程（Ｓ４０）〜（Ｓ６０）が繰り返される。オゾン生成装置においては工程（Ｔ２０）〜（Ｔ３０）が繰り返される。第１除去筒においては、工程（Ｕ１０）が実施される。
【００４４】
図１、図４および図５を参照して、時刻ｔ２において、オゾンガスの濃度が予め定められた濃度の範囲外となったことをオゾン濃度検知部３０が検知すると、たとえばオゾンガスの濃度が予め定められた濃度の範囲よりも低くなると（工程（Ｔ１０）においてＹＥＳ）、オゾン生成装置１０の電極（図２参照）に五酸化二窒素が付着してオゾンの生成効率が低下しているものと考えられる。そのため、電極が加熱されて五酸化二窒素を除去されることとなる（工程（Ｔ２０））。電極を加熱すると、生成したオゾンガスに含まれる窒素酸化物の濃度が上昇する。したがって、オゾンガス濃度の低下の情報は、オゾンガス源であるオゾン生成装置１０からのオゾンガスに含まれる窒素酸化物の濃度が上昇するタイミングの情報である窒素酸化物濃度上昇情報である。
【００４５】
オゾン濃度検知部３０は窒素酸化物濃度上昇情報を出力し、制御部４０がこれを検知する（工程（Ｓ３０）においてＹＥＳ）。制御部４０は、窒素酸化物濃度上昇情報に基づいて、オゾン生成装置１０からのオゾンガスを、第１の流路を介して供給対象物に供給する状態に切り替える（工程（Ｓ４０））。具体的には、図１を参照して、弁６８、弁７２および弁７３が閉の状態とされるとともに、弁６７、弁６９Ａ、弁７１Ａおよび弁７５が開の状態とされる。他の弁については、工程（Ｓ１０）と同じ状態が維持される。これにより、オゾン生成装置１０から吐出されたオゾンガスは、図１を参照して、第１の流路を構成する配管８５、配管８６、配管９１Ａ、配管９２Ａ、配管９６および配管１０２を介して供給対象物に供給される。
【００４６】
上記電極の加熱による五酸化二窒素の除去（工程（Ｔ２０））は、第１の流路を介したオゾンガスの供給（工程（Ｓ４０））の開始と同時に、または開始後に実施される。工程（Ｔ２０）は、電極（第１電極１２および第２電極１４）を五酸化二窒素が気化する温度以上の温度に加熱することにより実施することができる。電極の加熱は、たとえば第１電極１２と第２電極１４との間の電圧を上昇させること、および第１電極１２と第２電極１４との間の電流を上昇させること、のうち一方または両方を実施することにより達成することができる。電極の加熱により、オゾン生成装置１０内でのオゾンの発生効率が変化する場合がある。これに対応して、オゾン生成装置１０に流入する原料ガス（酸素ガスを主成分とするガス）の成分組成、流量などを変化させてもよい。
【００４７】
第１の流路を介してオゾンガスが供給される工程（Ｓ４０）では、オゾン生成装置１０から吐出されたオゾンガスが、シリカゲルからなる吸着剤２９を保持する第１除去筒２０Ａ内に流入する。オゾンガスに含まれる窒素酸化物は、吸着剤２９（第１吸着剤）に吸着され、窒素酸化物の濃度が低下したオゾンガスが第１除去筒２０Ａから吐出される（工程（Ｕ１０））。そして、第１除去筒２０Ａから吐出されたオゾンガスは、配管９２Ａ、配管９６および配管１０２を介して供給対象物に供給される。このように、電極が加熱される工程（Ｔ２０）が実施されることによりオゾンガスに含まれる窒素酸化物の濃度が上昇するものの、第１の流路を介してオゾンガスが供給される状態に切り替えられ（工程（Ｓ４０））、オゾン生成装置１０から吐出されたオゾンガスが第１除去筒２０Ａに流入して窒素酸化物が吸着されることにより（工程（Ｕ１０））、窒素酸化物の濃度が低下したオゾンガスが供給対象物に供給される。
【００４８】
図１および図５を参照して、オゾン生成装置１０の電極の加熱が開始された後、オゾン濃度検知部３０は、オゾンガスの濃度が予め定められた濃度の範囲内に回復したかどうかを監視する（工程（Ｔ３０））。オゾンガスの濃度が予め定められた濃度の範囲内となっていない場合（工程（Ｔ３０）においてＮＯ）、引き続き電極が加熱される。図１および図４を参照して、第１の流路を介したオゾンガスの供給が開始された後、窒素酸化物の濃度上昇の原因が除去されたかどうかが監視される（工程（Ｓ５０））。窒素酸化物の濃度上昇の原因である電極の加熱が継続している場合（工程（Ｓ５０）においてＮＯ）、供給対象物へのオゾンガスの供給が終了したかどうかが判断される（工程（Ｓ６０））。供給対象物へのオゾンガスの供給が終了した場合（工程（Ｓ６０）においてＹＥＳ）、オゾン供給システム１の運転は停止され、オゾンガスの供給は終了する。供給対象物へのオゾンガスの供給が終了していない場合（工程（Ｓ６０）においてＮＯの場合）、第１の流路を介したオゾンガスの供給が継続される。
【００４９】
時刻ｔ２〜ｔ３においては、このように工程（Ｓ４０）〜（Ｓ６０）、工程（Ｔ２０）〜（Ｔ３０）が繰り返して実施されるとともに、工程（Ｕ１０）が実施される。
【００５０】
（３）時刻ｔ３〜ｔ６
図７を参照して、時刻ｔ３〜ｔ６の間は、オゾンガスの供給経路の制御において工程（Ｓ１０）〜（Ｓ３０）が繰り返される。オゾン生成装置においては工程（Ｔ１０）が繰り返される。時刻ｔ４〜ｔ５の間は、除去筒において工程（Ｕ２０）〜（Ｕ４０）が実施される。
【００５１】
図１、図４および図５を参照して、時刻ｔ３において、オゾンガスの濃度が予め定められた濃度の範囲内となったことをオゾン濃度検知部３０が検知すると（工程（Ｔ３０）においてＹＥＳ）、オゾン生成装置１０の電極（図２参照）に付着した五酸化二窒素が十分に除去されたものと考えられる。そのため、電極の加熱を終了する。その後、再度工程（Ｔ１０）に戻ってオゾンの濃度が監視される。以後、時刻ｔ１〜ｔ２の場合と同様に、時刻ｔ６まで工程（Ｔ１０）が繰り返して実施される。
【００５２】
窒素酸化物の濃度上昇の原因である電極の加熱が終了すると（工程（Ｓ５０）においてＹＥＳ）、制御部４０は、弁を制御してオゾン生成装置１０からのオゾンガスが第２の流路を介して供給対象物に供給される状態に切り替える。その後、時刻ｔ１〜ｔ２の場合と同様に、時刻ｔ６まで工程（Ｓ１０）〜（Ｓ３０）が繰り返して実施される。
【００５３】
一方、時刻ｔ３と同時または時刻ｔ３よりも後であって時刻ｔ６よりも前である時刻ｔ４において、除去筒（第１除去筒２０Ａ）では、吸着剤（第１吸着剤２９）の窒素酸化物の吸着能の回復が必要かどうかが判断される（工程（Ｕ２０））。除去筒の稼働履歴等を考慮して吸着能が十分に残存しており、回復が不要であると判断された場合（工程（Ｕ２０）においてＮＯ）、除去筒は待機状態となる。一方、工程（Ｕ２０）において回復が必要であると判断された場合、工程（Ｕ３０）として吸着剤（第１吸着剤２９）の窒素酸化物吸着能を回復させる工程が実施される。この工程（Ｕ３０）では、第１除去筒２０Ａの第１吸着剤２９を加熱しつつ第１除去筒２０Ａ内にパージガスを導入して第１吸着剤２９に吸着した窒素酸化物を離脱させてパージガスにより第１除去筒２０Ａの外部へと排出することにより、第１吸着剤２９の窒素酸化物吸着能を回復させる。
【００５４】
具体的には、図１を参照して、弁６５、弁６６、弁６９Ａ、弁７１Ａおよび弁７４が開の状態とされる。これにより、酸素源５１から供給される酸素ガスが、配管８０および配管８９を介して第３マスフローコントローラ５８に到達する。第３マスフローコントローラ５８において所望の流量に調整された酸素ガスは、配管９９および配管９１Ａを介してパージガスとして第１除去筒２０Ａ内に流入する。図３を参照して、工程（Ｕ３０）では、第１除去筒２０Ａ内に保持される第１吸着剤２９がリボンヒータ２２により加熱される。第１吸着剤２９の加熱温度は温度センサ２４により監視される。これにより、第１吸着剤２９に吸着された窒素酸化物が離脱し、パージガスである酸素ガスとともに第１除去筒２０Ａから配管９２Ａを介して排出される。そして、配管９２Ａに排出された窒素酸化物を含む排気ガスは、排気管である配管１０１を介して排気部へと送られる。このようにして、第１吸着剤２９の窒素酸化物吸着能が回復し、工程（Ｕ３０）が完了する。
【００５５】
次に、除去筒（第１除去筒２０Ａ）では、工程（Ｕ４０）として第１吸着剤２９のオゾン吸着能を抑制する処理が実施される。この工程（Ｕ４０）では、オゾン生成装置１０からのオゾンガスの一部を第１除去筒２０Ａに導入することにより第１吸着剤にオゾンガスを吸着させ、第１吸着剤のオゾン吸着能を抑制する。
【００５６】
具体的には、図１を参照して、まず、弁６５および弁６６が閉の状態とされる。これにより、第１除去筒２０Ａへのパージガスとしての酸素ガスの供給が停止する。その後、弁６７が開の状態とされる。これにより、オゾン生成装置１０から吐出されるオゾンガスの一部が配管８６および配管９１Ａを介して第１除去筒２０Ａに流入する。第１除去筒２０Ａに流入したオゾンガスは第１吸着剤２９に吸着される。その結果、第１吸着剤２９のオゾン吸着能が抑制される。その後、第１除去筒２０Ａ内のオゾンガスは、配管９２Ａおよび配管１０１を介して排気部へと排出される。
【００５７】
ここで、第１除去筒２０Ａに導入されるオゾンガスの流量は、オゾン生成装置１０から吐出されるオゾンガスの流量のうち１０％以下とすることが好ましく、さらには５％以下とすることが好ましい。このようにすることにより、供給対象物に供給されるオゾンガスの流量の変動を抑制することが容易となる。また、工程（Ｕ４０）において第１除去筒２０Ａに導入されたオゾンガスは、配管９６および配管１０２を介して供給対象物に供給されてもよい。すなわち、弁７４を閉の状態とするとともに弁７５を開の状態としてもよい。供給対象物へと供給されるオゾンガスの濃度をより安定させる観点からは、上述のように工程（Ｕ４０）において第１除去筒２０Ａに導入されたオゾンガスは配管１０１を介して排気部に流され、供給対象物に供給されないことが好ましい。
【００５８】
図７を参照して、時刻ｔ４よりも後であって時刻ｔ６と同時または時刻ｔ６よりも前である時刻ｔ５の時点で、上記工程（Ｕ４０）が完了する。具体的には、図１を参照して、弁６７、弁６９Ａ、弁７１Ａおよび弁７４が閉の状態とされる。そして、時刻ｔ５〜ｔ６の間、第１除去筒２０Ａは待機状態となる。すなわち、時刻ｔ５〜ｔ６の間は、上記時刻ｔ１〜ｔ２の間と同様に、オゾンガスの供給経路の制御において工程（Ｓ１０）〜（Ｓ３０）が繰り返して実施されるとともに、オゾン生成装置において工程（Ｔ１０）が繰り返して実施される。第１の流路に設置された第１除去筒２０Ａは、待機状態となっている。そして、オゾンガスの濃度が予め定められた濃度の範囲外となったことをオゾン濃度検知部３０が検知した時点を時刻ｔ２として、以後、上記制御が繰り返される。
【００５９】
本実施の形態のオゾンガスの供給方法では、オゾン生成装置１０からのオゾンガスを第２の流路を介して供給する工程（Ｓ１０〜Ｓ３０；時刻ｔ３〜ｔ６）が、第１の流路に設置された第１除去筒２０Ａ内の第１吸着剤のオゾン吸着能を抑制する工程（Ｕ４０；時刻ｔ４〜ｔ５）を含む。そして、オゾン生成装置１０からのオゾンガスを第１の流路を介して供給する工程（Ｓ４０〜Ｓ６０；時刻ｔ２〜ｔ３）では、第１吸着剤のオゾン吸着能を抑制する工程（Ｕ４０；時刻ｔ４〜ｔ５）においてオゾン吸着能が抑制された第１吸着剤を保持する第１除去筒２０Ａをオゾンガスが通過する。そのため、第１吸着剤にオゾンガスが吸着されることが抑制され、オゾンガスの濃度が安定する。このように、本実施の形態のオゾンガスの供給方法によれば、窒素酸化物が除去されたオゾンガスを安定した濃度で供給対象物に供給することができる。
【００６０】
さらに、本実施の形態のオゾンガスの供給方法では、オゾン生成装置１０からのオゾンガスを第２の流路を介して供給する工程（Ｓ１０〜Ｓ３０；時刻ｔ３〜ｔ６）は、第１吸着剤２９のオゾン吸着能を抑制する工程（Ｕ４０；時刻ｔ４〜ｔ５）の前に、第１除去筒２０Ａ内の第１吸着剤２９を加熱しつつ第１除去筒２０Ａ内にパージガスを導入して第１吸着剤２９に吸着した窒素酸化物を離脱させてパージガスにより第１除去筒２０Ａの外部へと排出することにより、第１吸着剤２９の窒素酸化物吸着能を回復させる工程をさらに含んでいる（Ｕ３０；時刻ｔ４〜ｔ５）。
【００６１】
第１吸着剤２９の窒素酸化物吸着能を回復させる工程（Ｕ３０）が実施された後に第１吸着剤２９のオゾン吸着能を抑制する工程（Ｕ４０）が実施されることにより、第１吸着剤２９が十分な窒素酸化物吸着能を有し、かつオゾン吸着能が抑制された状態で、オゾンガスが第１の流路を介して供給対象物に供給される状態に切り替えられる。
【００６２】
工程（Ｕ４０）は、オゾン濃度検知部３０が窒素酸化物濃度上昇情報を出力し、制御部４０がこれを検知すると同時に、または検知した後に実施されてもよい。
【００６３】
（実施の形態２）
１．オゾンガスの供給システムの構成
実施の形態２におけるオゾンガスの供給システムは、基本的には実施の形態１の場合と同様の構成を有し、同様の効果を奏する。しかし、実施の形態２においては、第２の流路にも吸着剤を保持する容器が設置されている点において、実施の形態１の場合とは異なっている。以下、実施の形態１の場合とは異なる点について説明する。
【００６４】
図８を参照して、実施の形態２におけるオゾン供給システム１は、第２容器としての第２除去筒２０Ｂを備える。
【００６５】
配管９９の弁６６が設置される位置と第３マスフローコントローラ５８に接続される位置との間に、配管８８が接続されている。配管８８には、弁７０が設置されている。そして、配管８８および配管８７は、配管９１Ｂに接続されている。配管９１Ｂには、弁６９Ｂが設置されている。配管９１Ｂは、第２除去筒２０Ｂに接続されている。配管９１Ｂは、オゾンガスおよびパージガスとしての酸素ガスの第２除去筒２０Ｂへの流入路である。配管８０、配管８９、配管９９、配管８８および配管９１Ｂは、第２除去筒２０Ｂへのパージガス流入路を構成する。第２除去筒２０Ｂには、配管９２Ｂが接続されている。配管９２Ｂは、第２除去筒２０Ｂからのオゾンガスおよびパージガスとしての酸素ガスの流出路である。配管９２Ｂには、弁７１Ｂが設置されている。第２除去筒２０Ｂは、上記第１除去筒２０Ａと同様の構成を有し、同様に動作する。
【００６６】
配管９２Ｂには、配管９７と、配管９８とが接続されている。配管９７には弁７６が設置されている。配管９７は、排気部に接続された配管１０１に接続されている。配管９７は、不要なガスをオゾン供給システム１から排出する排気管である。配管９８には、弁７７が設置されている。配管９８は、配管１０２に接続されている。配管９２Ｂ、配管９７および配管１０１は、パージガス排出路を構成する。配管８５、配管８７、配管９１Ｂ、配管９２Ｂ、配管９８および配管１０２は、第２の流路を構成する。
【００６７】
２．オゾンガスの供給方法
次に、図８〜図１０、図５および図６を参照して、本発明の実施の形態２におけるオゾンガスの供給方法ついて説明する。図９は、実施の形態２におけるオゾンガスの供給経路の制御の一例を示すフローチャートである。図１０は、実施の形態２におけるオゾンガスの供給手順の一例を示すタイミングチャートである。
【００６８】
（１）時刻ｔ１１〜ｔ１２
図１０を参照して、時刻ｔ１１〜ｔ１２の間は、オゾンガスの供給経路の制御において工程（Ｓ１１０）〜（Ｓ１３０）が繰り返されるとともに、オゾン生成装置においては工程（Ｔ１０）が実施される。第１除去筒２０Ａは待機状態となっている。第２除去筒２０Ｂにおいては工程（Ｕ１０）が実施される。
【００６９】
具体的には、図９を参照して、オゾンガスの供給経路の制御において、まず工程（Ｓ１１０）として、オゾン生成装置１０からのオゾンガスを第２の流路を介して供給対象物に供給する工程が実施される。この工程（Ｓ１１０）では、図８を参照して、制御部４０による制御によって、弁６１〜６４，６８，６９Ｂ，７１Ｂ，７７，７８が開の状態とされ、他の弁が閉の状態とされる。オゾン生成装置１０では、上記実施の形態１の場合と同様にオゾンガスが生成され、第２の流路を構成する配管８５、配管８７、配管９１Ｂ、配管９２Ｂ、配管９８および配管１０２を介して供給対象物に供給される。
【００７０】
そして、図９を参照して、供給対象物へのオゾンガスの供給が終了した場合（工程（Ｓ１２０）においてＹＥＳの）、オゾン供給システム１の運転は停止され、オゾンガスの供給は終了する。供給対象物へのオゾンガスの供給が終了していない場合（工程（Ｓ１２０）においてＮＯ）、オゾン生成装置１０からのオゾンガスに含まれる窒素酸化物の濃度が上昇するタイミングの情報である窒素酸化物濃度上昇情報を検知したかどうかが実施の形態１の場合と同様に確認される（工程（Ｓ１３０））。窒素酸化物濃度上昇情報が検知されない場合（工程（Ｓ１３０）においてＮＯ）、オゾンガスが第２の流路を介して供給対象物に引き続き供給される。オゾン濃度検知部３０は、オゾン生成装置１０内で発生するオゾンの濃度を引き続き検知する。
【００７１】
オゾンガスを第２の流路を介して供給対象物に供給される時刻ｔ１１〜ｔ１２の間、オゾン生成装置１０から吐出されたオゾンガスが、シリカゲルからなる吸着剤２９を保持する第２除去筒２０Ｂ内に流入する。第２除去筒２０Ｂは、図３に基づいて説明した第１除去筒２０Ａと同様の構造を有している。オゾンガスに含まれる窒素酸化物は、吸着剤２９（第２吸着剤）に吸着され、窒素酸化物の濃度が低下したオゾンガスが第２除去筒２０Ｂから吐出される（工程（Ｕ１０））。そして、第２除去筒２０Ｂから吐出されたオゾンガスは、配管９２Ｂ、配管９８および配管１０２を介して供給対象物に供給される。このように、オゾン生成装置１０から吐出されたオゾンガスが第２除去筒２０Ｂに流入して窒素酸化物が吸着されることにより（工程（Ｕ１０））、窒素酸化物の濃度が低下したオゾンガスが供給対象物に供給される。
【００７２】
時刻ｔ１１〜ｔ１２においては、このように工程（Ｓ１１０）〜（Ｓ１３０）が繰り返して実施されるとともに、工程（Ｔ１０）が繰り返して実施される。また、第２の流路に設置された第２除去筒２０Ｂにおいては、工程（Ｕ１０）が実施される。
【００７３】
（２）時刻ｔ１２〜ｔ１６
図１０を参照して、時刻ｔ１２〜ｔ１６の間は、オゾンガスの供給経路の制御において工程（Ｓ１４０）〜（Ｓ１６０）が繰り返される。オゾン生成装置においては、時刻ｔ１２〜ｔ１４の間に工程（Ｔ２０）〜（Ｔ３０）が繰り返された後、時刻ｔ１４〜ｔ１６の間に工程（Ｔ１０）が繰り返して実施される。第１除去筒では、時刻ｔ１２〜ｔ１６の間、工程（Ｕ１０）が実施される。第２除去筒では、時刻ｔ１３〜ｔ１５の間に工程（Ｕ２０）〜（Ｕ４０）が実施される。
【００７４】
図８、図９および図５を参照して、時刻ｔ１２において、オゾンガスの濃度が予め定められた濃度の範囲外となったことをオゾン濃度検知部３０が検知すると、たとえばオゾンガスの濃度が予め定められた濃度の範囲よりも低くなると（工程（Ｔ１０）においてＹＥＳ）、実施の形態１の場合と同様に、オゾン濃度検知部３０は窒素酸化物濃度上昇情報を出力し、制御部４０がこれを検知する（工程（Ｓ１３０）においてＹＥＳ）。制御部４０は、窒素酸化物濃度上昇情報に基づいて、オゾン生成装置１０からのオゾンガスを、第１の流路を介して供給対象物に供給する状態に切り替える（工程（Ｓ１４０））。具体的には、図８を参照して、弁６８、弁６９Ｂ、弁７１Ｂおよび弁７７が閉の状態とされるとともに、弁６７、弁６９Ａ、弁７１Ａおよび弁７５が開の状態とされる。他の弁については、工程（Ｓ１１０）と同じ状態が維持される。これにより、オゾン生成装置１０から吐出されたオゾンガスは、図８を参照して、第１の流路を構成する配管８５、配管８６、配管９１Ａ、配管９２Ａ、配管９６および配管１０２を介して供給対象物に供給される。
【００７５】
第１の流路を介したオゾンガスの供給（工程（Ｓ１４０））の開始と同時に、または開始後に、オゾン生成装置１０内の電極が加熱されて五酸化二窒素が除去される（工程（Ｔ２０））。上記電極の加熱による五酸化二窒素の除去（工程（Ｔ２０））は、上記実施の形態１の場合と同様に実施される。
【００７６】
第１の流路を介してオゾンガスが供給される工程（Ｓ１４０）では、オゾン生成装置１０から吐出されたオゾンガスが、シリカゲルからなる吸着剤２９を保持する第１除去筒２０Ａ内に流入する。オゾンガスに含まれる窒素酸化物は、吸着剤２９（第１吸着剤）に吸着され、窒素酸化物の濃度が低下したオゾンガスが第１除去筒２０Ａから吐出される（工程（Ｕ１０））。そして、第１除去筒２０Ａから吐出されたオゾンガスは、配管９２Ａ、配管９６および配管１０２を介して供給対象物に供給される。このように、電極が加熱される工程（Ｔ２０）が実施されることによりオゾンガスに含まれる窒素酸化物の濃度が上昇するものの、第１の流路を介してオゾンガスが供給される状態に切り替えられ（工程（Ｓ１４０））、オゾン生成装置１０から吐出されたオゾンガスが第１除去筒２０Ａに流入して窒素酸化物が吸着されることにより（工程（Ｕ１０））、窒素酸化物の濃度が低下したオゾンガスが供給対象物に供給される。
【００７７】
図８および図５を参照して、オゾン生成装置１０の電極の加熱が開始された後、オゾン濃度検知部３０は、オゾンガスの濃度が予め定められた濃度の範囲内に回復したかどうかを監視する（工程（Ｔ３０））。オゾンガスの濃度が予め定められた濃度の範囲内となっていない場合（工程（Ｔ３０）においてＮＯ）、引き続き電極が加熱される。そして、時刻ｔ１４において、オゾンガスの濃度が予め定められた濃度の範囲内となったことをオゾン濃度検知部３０が検知すると（工程（Ｔ３０）においてＹＥＳ）、電極の加熱を終了する。その後、再度工程（Ｔ１０）に戻ってオゾンの濃度が監視される。以後、時刻ｔ１１〜ｔ１２の場合と同様に、時刻ｔ１６まで工程（Ｔ１０）が繰り返して実施される。
【００７８】
図８および図９を参照して、第１の流路を介したオゾンガスの供給が開始された後、窒素酸化物濃度上昇情報を検知したかどうかが確認される（工程（Ｓ１５０））。窒素酸化物濃度上昇情報が検知されない場合（工程（Ｓ１５０）においてＮＯ）、供給対象物へのオゾンガスの供給が終了したかどうかが確認される（工程（Ｓ１６０））。供給対象物へのオゾンガスの供給が終了した場合（工程（Ｓ１６０）においてＹＥＳ）、オゾン供給システム１の運転は停止され、オゾンガスの供給は終了する。供給対象物へのオゾンガスの供給が終了していない場合（工程（Ｓ１６０）においてＮＯ）、オゾンガスが第１の流路を介して供給対象物に引き続き供給される。オゾン濃度検知部３０は、オゾン生成装置１０内で発生するオゾンの濃度を引き続き検知する。
【００７９】
一方、時刻ｔ１２と同時または時刻ｔ１２よりも後であって時刻ｔ１６よりも前である時刻ｔ１３において、第２除去筒２０Ｂでは、第２吸着剤（吸着剤２９）の窒素酸化物の吸着能の回復が必要かどうかが判断される（工程（Ｕ２０））。第２除去筒２０Ｂの稼働履歴等を考慮して吸着能が十分に残存しており、回復が不要であると判断された場合（工程（Ｕ２０）においてＮＯ）、第２除去筒２０Ｂは待機状態となる。一方、工程（Ｕ２０）において回復が必要であると判断された場合、工程（Ｕ３０）として吸着剤２９（第２吸着剤）の窒素酸化物吸着能を回復させる工程が実施される。この工程（Ｕ３０）では、第２除去筒２０Ｂの吸着剤２９（第２吸着剤）を加熱しつつ第２除去筒２０Ｂ内にパージガスを導入して吸着剤２９に吸着した窒素酸化物を離脱させてパージガスにより第２除去筒２０Ｂの外部へと排出することにより、吸着剤２９の窒素酸化物吸着能を回復させる。第２除去筒２０Ｂの吸着剤２９（第２吸着剤）の窒素酸化物吸着能の回復は、上記実施の形態１の第１吸着剤の場合と同様の手順で実施することができる。
【００８０】
次に、第２除去筒２０Ｂでは、工程（Ｕ４０）として吸着剤２９（第２吸着剤）のオゾン吸着能を抑制する処理が実施される。この工程（Ｕ４０）では、オゾン生成装置１０からのオゾンガスの一部を第２除去筒２０Ｂに導入することにより第２吸着剤にオゾンガスを吸着させ、第２吸着剤（吸着剤２９）のオゾン吸着能を抑制する。第２吸着剤のオゾン吸着能の抑制は、上記実施の形態１の第１吸着剤の場合と同様の手順で実施することができる。
【００８１】
図１０を参照して、時刻ｔ１３および時刻ｔ１４よりも後であって時刻ｔ１６と同時または時刻ｔ１６よりも前である時刻ｔ１５の時点で、上記工程（Ｕ４０）が完了する。具体的には、図８を参照して、弁６８、弁６９Ｂ、弁７１Ｂおよび弁７６が閉の状態とされる。そして、時刻ｔ１５〜ｔ１６の間、第２除去筒２０Ｂは待機状態となる。
【００８２】
（３）時刻ｔ１６〜ｔ２０
図１０を参照して、時刻ｔ１６〜ｔ２０の間は、オゾンガスの供給経路の制御において工程（Ｓ１１０）〜（Ｓ１３０）が繰り返される。オゾン生成装置においては、時刻ｔ１６〜ｔ１８の間に工程（Ｔ２０）〜（Ｔ３０）が繰り返された後、時刻ｔ１８〜ｔ２０の間に工程（Ｔ１０）が繰り返して実施される。第１除去筒では、時刻ｔ１７〜ｔ１９の間に工程（Ｕ２０）〜（Ｕ４０）が実施される。第２除去筒では、時刻ｔ１６〜ｔ２０の間、工程（Ｕ１０）が実施される。
【００８３】
図８、図９および図５を参照して、時刻ｔ１６において、オゾンガスの濃度が予め定められた濃度の範囲外となったことをオゾン濃度検知部３０が検知すると、たとえばオゾンガスの濃度が予め定められた濃度の範囲よりも低くなると（工程（Ｔ１０）においてＹＥＳ）、実施の形態１の場合と同様に、オゾン濃度検知部３０は窒素酸化物濃度上昇情報を出力し、制御部４０がこれを検知する（工程（Ｓ１５０）においてＹＥＳ）。制御部４０は、窒素酸化物濃度上昇情報に基づいて、オゾン生成装置１０からのオゾンガスを、第２の流路を介して供給対象物に供給する状態に切り替える（工程（Ｓ１１０））。具体的には、図８を参照して、弁６７、弁６９Ａ、弁７１Ａおよび弁７５が閉の状態とされるとともに、弁６８、弁６９Ｂ、弁７１Ｂおよび弁７７が開の状態とされる。他の弁については、工程（Ｓ１４０）と同じ状態が維持される。これにより、オゾン生成装置１０から吐出されたオゾンガスは、図８を参照して、第２の流路を構成する配管８５、配管８７、配管９１Ｂ、配管９２Ｂ、配管９８および配管１０２を介して供給対象物に供給される。
【００８４】
第２の流路を介したオゾンガスの供給（工程（Ｓ１１０））の開始と同時に、または開始後に、オゾン生成装置１０内の電極が加熱されて五酸化二窒素が除去される（工程（Ｔ２０））。上記電極の加熱による五酸化二窒素の除去（工程（Ｔ２０））は、上記実施の形態１の場合と同様に実施される。
【００８５】
第２の流路を介してオゾンガスが供給される工程（Ｓ１１０）では、オゾン生成装置１０から吐出されたオゾンガスが、シリカゲルからなる吸着剤２９を保持する除去筒（第２除去筒２０Ｂ）内に流入する。オゾンガスに含まれる窒素酸化物は、吸着剤２９（第２吸着剤）に吸着され、窒素酸化物の濃度が低下したオゾンガスが第２除去筒２０Ｂから吐出される（工程（Ｕ１０））。そして、第２除去筒２０Ｂから吐出されたオゾンガスは、配管９２Ｂ、配管９８および配管１０２を介して供給対象物に供給される。このように、電極が加熱される工程（Ｔ２０）が実施されることによりオゾンガスに含まれる窒素酸化物の濃度が上昇するものの、第２の流路を介してオゾンガスが供給される状態に切り替えられ（工程（Ｓ１１０））、オゾン生成装置１０から吐出されたオゾンガスが第２除去筒２０Ｂに流入して窒素酸化物が吸着されることにより（工程（Ｕ１０））、窒素酸化物の濃度が低下したオゾンガスが供給対象物に供給される。
【００８６】
図８および図５を参照して、オゾン生成装置１０の電極の加熱が開始された後、オゾン濃度検知部３０は、オゾンガスの濃度が予め定められた濃度の範囲内に回復したかどうかを監視する（工程（Ｔ３０））。オゾンガスの濃度が予め定められた濃度の範囲内となっていない場合（工程（Ｔ３０）においてＮＯ）、引き続き電極が加熱される。そして、時刻ｔ１８において、オゾンガスの濃度が予め定められた濃度の範囲内となったことをオゾン濃度検知部３０が検知すると（工程（Ｔ３０）においてＹＥＳ）、電極の加熱を終了する。その後、再度工程（Ｔ１０）に戻ってオゾンの濃度が監視される。以後、時刻ｔ１１〜ｔ１２の場合と同様に、時刻ｔ２０まで工程（Ｔ１０）が繰り返して実施される。
【００８７】
図８および図９を参照して、第２の流路を介したオゾンガスの供給が開始された後、供給対象物へのオゾンガスの供給が終了したかどうかが確認される（工程（Ｓ１２０））。供給対象物へのオゾンガスの供給が終了した場合（工程（Ｓ１２０）においてＹＥＳ）、オゾン供給システム１の運転は停止され、オゾンガスの供給は終了する。供給対象物へのオゾンガスの供給が終了していない場合（工程（Ｓ１２０）においてＮＯ）、窒素酸化物濃度上昇情報を検知したかどうかが確認される（工程（Ｓ１３０））。窒素酸化物濃度上昇情報が検知されない場合（工程（Ｓ１３０）においてＮＯ）、オゾンガスが第２の流路を介して供給対象物に引き続き供給される。オゾン濃度検知部３０は、オゾン生成装置１０内で発生するオゾンの濃度を引き続き検知する。
【００８８】
一方、時刻ｔ１６と同時または時刻ｔ１６よりも後であって時刻ｔ２０よりも前である時刻ｔ１７において、第１除去筒２０Ａでは、第１吸着剤（吸着剤２９）の窒素酸化物の吸着能の回復が必要かどうかが判断される（工程（Ｕ２０））。第１除去筒２０Ａの稼働履歴等を考慮して吸着能が十分に残存しており、回復が不要であると判断された場合（工程（Ｕ２０）においてＮＯ）、第１除去筒２０Ａは待機状態となる。一方、工程（Ｕ２０）において回復が必要であると判断された場合（工程（Ｕ２０）においてＹＥＳ）、工程（Ｕ３０）として吸着剤２９（第１吸着剤）の窒素酸化物吸着能を回復させる工程が実施される。この工程（Ｕ３０）では、第１除去筒２０Ａの吸着剤２９（第１吸着剤）を加熱しつつ第１除去筒２０Ａ内にパージガスを導入して吸着剤２９に吸着した窒素酸化物を離脱させてパージガスにより第１除去筒２０Ａの外部へと排出することにより、吸着剤２９の窒素酸化物吸着能を回復させる。第１除去筒２０Ａの吸着剤２９（第１吸着剤）の窒素酸化物吸着能の回復は、上記実施の形態１の場合と同様の手順で実施することができる。
【００８９】
次に、第１除去筒２０Ａでは、工程（Ｕ４０）として吸着剤２９（第１吸着剤）のオゾン吸着能を抑制する処理が実施される。この工程（Ｕ４０）では、オゾン生成装置１０からのオゾンガスの一部を第１除去筒２０Ａに導入することにより第１吸着剤２９にオゾンガスを吸着させ、第１吸着剤（吸着剤２９）のオゾン吸着能を抑制する。第１吸着剤のオゾン吸着能の抑制は、上記実施の形態１の場合と同様の手順で実施することができる。
【００９０】
図１０を参照して、時刻ｔ１７および時刻ｔ１８よりも後であって時刻ｔ２０と同時または時刻ｔ２０よりも前である時刻ｔ１９の時点で、上記工程（Ｕ４０）が完了する。具体的には、図８を参照して、弁６７、弁６９Ａ、弁７１Ａおよび弁７４が閉の状態とされる。そして、時刻ｔ１９〜ｔ２０の間、第１除去筒２０Ａは待機状態となる。すなわち、時刻ｔ１９〜ｔ２０の間は、上記時刻ｔ１１〜ｔ１２の間と同様に、オゾンガスの供給経路の制御において工程（Ｓ１１０）〜（Ｓ１３０）が繰り返して実施されるとともに、オゾン生成装置において工程（Ｔ１０）が繰り返して実施される。第１の流路に設置された第１除去筒２０Ａは、待機状態となっている。第２の流路に設置された第２除去筒２０Ｂでは、工程（Ｕ１０）が実施される。そして、オゾンガスの濃度が予め定められた濃度の範囲外となったことをオゾン濃度検知部３０が検知した時点を時刻ｔ１２として、以後、上記制御が繰り返される。
【００９１】
本実施の形態のオゾンガスの供給方法では、オゾン生成装置１０からのオゾンガスを第２の流路を介して供給する工程（Ｓ１１０〜Ｓ１３０；時刻ｔ１６〜ｔ２０）が、第１の流路に設置された第１除去筒２０Ａ内の第１吸着剤のオゾン吸着能を抑制する工程（Ｕ４０；時刻ｔ１７〜ｔ１９）を含む。そして、オゾン生成装置１０からのオゾンガスを第１の流路を介して供給する工程（Ｓ１４０〜Ｓ１６０；時刻ｔ１２〜ｔ１６）では、第１吸着剤のオゾン吸着能を抑制する工程（Ｕ４０；時刻ｔ１７〜ｔ１９）においてオゾン吸着能が抑制された第１吸着剤を保持する第１除去筒２０Ａをオゾンガスが通過する。そのため、第１吸着剤にオゾンガスが吸着されることが抑制され、オゾンガスの濃度が安定する。また、本実施の形態のオゾンガスの供給方法では、オゾン生成装置１０からのオゾンガスを第１の流路を介して供給する工程（Ｓ１４０〜Ｓ１６０；時刻ｔ１２〜ｔ１６）が、第２の流路に設置された第２除去筒２０Ｂ内の第２吸着剤のオゾン吸着能を抑制する工程（Ｕ４０；時刻ｔ１３〜ｔ１５）を含む。そして、オゾン生成装置１０からのオゾンガスを第２の流路を介して供給する工程（Ｓ１１０〜Ｓ１３０；時刻ｔ１６〜ｔ２０）では、第２吸着剤のオゾン吸着能を抑制する工程（Ｕ４０；時刻ｔ１３〜ｔ１５）においてオゾン吸着能が抑制された第２吸着剤を保持する第２除去筒２０Ｂをオゾンガスが通過する。そのため、第２吸着剤にオゾンガスが吸着されることが抑制され、オゾンガスの濃度が安定する。このように、本実施の形態のオゾンガスの供給方法によれば、窒素酸化物が除去されたオゾンガスを安定した濃度で供給対象物に供給することができる。
【００９２】
なお、上記実施の形態２において、第１の流路および第２の流路の一方から他方への切り替えは、他方に設置された除去筒が待機状態になっていることが確認された後に実施されることが好ましい。
【００９３】
上記実施の形態において待機状態とは、オゾン吸着能の抑制処理（Ｕ４０）が実施され、かつ十分な窒素酸化物の除去能が確保された状態をいう。より具体的には、窒素酸化物の吸着能の回復処理（Ｕ３０）およびオゾン吸着能の抑制処理（Ｕ４０）が実施され、窒素酸化物の吸着能が十分に残存し、かつオゾン吸着能が抑制されている状態をいう。
【００９４】
上記実施の形態では、第１の流路および第２の流路の２つの流路が切り替えられて制御される場合について説明したが、本発明のオゾンガスの供給方法およびオゾンガスの供給システムはこのような構成に限られない。たとえば、さらに第３の流路を含む３以上の流路が切り替えられて制御されてもよい。具体的には、たとえば第３吸着剤を保持する第３除去筒（第３容器）が設置された第３の流路が存在していてもよい。このようにすることにより、吸着剤の窒素酸化物吸着能の回復やオゾン吸着能の抑制を実施するための時間を確保することが容易となる。そのため、第１の流路と第２の流路とが交互に稼働する場合に比べて、安定した稼働が可能となる。また、上記実施の形態では、オゾンガス源（オゾン生成装置１０）の電極に付着した窒素酸化物が除去される際にオゾンガスに含まれる窒素酸化物の濃度が上昇する場合を例として説明したが、本発明のオゾンガスの供給方法およびオゾンガスの供給システムの適用対象はこれに限られない。たとえば、オゾンガス源の下流側の配管（周辺配管）に付着した窒素酸化物が除去される際にオゾンガスに含まれる窒素酸化物の濃度が上昇する場合など、さまざまな原因によってオゾンガスに含まれる窒素酸化物の濃度が上昇する場合に、本発明のオゾンガスの供給方法およびオゾンガスの供給システムを適用することができる。
【００９５】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００９６】
本発明のオゾンガスの供給方法およびオゾンガスの供給システムは、供給されるオゾンガスの濃度変動の抑制が求められるオゾンガスの供給方法およびオゾンガスの供給システムに、特に有利に適用され得る。
【符号の説明】
【００９７】
１  オゾン供給システム、１０  オゾン生成装置、１１  放電ユニット、１２  第１電極、１３  誘電体管、１４  第２電極、１５  放電空間、２０  除去筒、２０Ａ，２０Ｂ  第１除去筒、２１  本体部、２２  リボンヒータ、２３  ジャケット、２４  温度センサ、２８  吸着剤保持部、２９  吸着剤、３０  オゾン濃度検知部、４０  制御部、５１  酸素源、５２  窒素源、５６  第１マスフローコントローラ、５７  第２マスフローコントローラ、５８  第３マスフローコントローラ、５９  第４マスフローコントローラ、６１，６２，６３，６４，６５，６６，６７，６８，６９Ａ，６９Ｂ，７１Ａ，７１Ｂ，７２，７３，７４，７５，７６，７７，７８  弁、８０，８１，８２，８３，８４，８５，８６，８７，８８，８９，９０，９１，９１Ａ，９１Ｂ，９２，９２Ａ，９２Ｂ，９６，９７，９８，９９，１００，１０１，１０２  配管。
【図１】
0006545589.tif 000002
【図２】
0006545589.tif 000003
【図３】
0006545589.tif 000004
【図４】
0006545589.tif 000005
【図５】
0006545589.tif 000006
【図６】
0006545589.tif 000007
【図７】
0006545589.tif 000008
【図８】
0006545589.tif 000009
【図９】
0006545589.tif 000010
【図１０】
0006545589.tif 000011